(57)【特許請求の範囲】
【請求項１】
可動家具部分（２）のためのエジェクション装置（１）であって、
- 特にハウジングとして形成された保持体（３）と、
- 前記可動家具部分（２）を閉鎖位置（ＳＳ）から押出し移動行程（Ａ）に沿って開放位置（ＯＳ）に押し出すエジェクションエレメント（４）と、
- 該エジェクションエレメント（４）に前記可動家具部分（２）の開放方向（ＯＲ）において力を加える、一方では前記保持体（３）にかつ他方では前記エジェクションエレメント（４）に係合するエジェクション蓄力器（５）と、
- 該エジェクション蓄力器（５）を緊張させるテンショニング装置（６）と、を備えており、該テンショニング装置（６）は、前記可動家具部分（２）に連結可能なテンショニングエレメント（７）と、該テンショニングエレメント（７）と前記エジェクションエレメント（４）との間における、特に回転可能な運動伝達エレメント（８）とを有しており、前記エジェクション蓄力器（５）を緊張させる際には、前記テンショニングエレメント（７）と前記エジェクションエレメント（４）とは、前記運動伝達エレメント（８）によって連結されて互いに逆向きの方向（Ｒ１，Ｒ２）に可動である、エジェクション装置（１）において、
前記エジェクションエレメント（４）、前記運動伝達エレメント（８）および前記テンショニングエレメント（７）は、前記押出し移動行程（Ａ）の少なくとも第１の部分にわたって一緒に、前記保持体（３）に対して相対的に可動であり、
前記テンショニングエレメント（７）を戻し位置（Ｒ）に移動させる戻し装置（１３）が設けられており、該戻し装置（１３）は、前記テンショニングエレメント（７）に連結可能な戻しエレメント（１４）と、該戻しエレメント（１４）に力を加える戻し蓄力器（１５）とを有しており、前記戻しエレメント（１４）は、前記運動伝達エレメント（８）によって形成されている
ことを特徴とする、エジェクション装置（１）。
【請求項２】
前記エジェクションエレメント（４）、前記運動伝達エレメント（８）および前記テンショニングエレメント（７）は、前記押出し移動行程（Ａ）全体にわたって、好ましくは同じ距離だけかつ互いに対する相対運動なしに、一緒に前記保持体（３）に対して相対的に可動である、請求項１記載のエジェクション装置。
【請求項３】
前記エジェクションエレメント（４）、前記運動伝達エレメント（８）および前記テンショニングエレメント（７）は一緒に、前記保持体（３）に形成されていて２つのリミットストッパ（Ｅ１，Ｅ２）を有する案内軌道（９）に沿って、好ましくは直線的に、移動可能である、請求項１または２記載のエジェクション装置。
【請求項４】
前記エジェクション蓄力器（５）を緊張させる際に、前記運動伝達エレメント（８）は前記案内軌道（９）の一方のリミットストッパ（Ｅ１）に接触している、請求項３記載のエジェクション装置。
【請求項５】
前記運動伝達エレメント（８）は、歯車（１０）として形成されている、請求項１から４までのいずれか１項記載のエジェクション装置。
【請求項６】
前記テンショニングエレメント（７）および前記エジェクションエレメント（４）は、それぞれ１つのラック（１１，１２）を有している、請求項１から５までのいずれか１項記載のエジェクション装置。
【請求項７】
前記エジェクション蓄力器（５）の緊張時に、前記テンショニングエレメント（７）の前記ラック（１１）および前記エジェクションエレメント（４）の前記ラック（１２）は、歯車（１０）として形成された前記運動伝達エレメント（８）に噛み合っており、かつ前記運動伝達エレメント（８）によって連結されて、互いに逆向きの方向（Ｒ１，Ｒ２）において、好ましくは１：１の変速比で、可動である、請求項５および６記載のエジェクション装置。
【請求項８】
前記戻しエレメント（１４）は、キャリッジ（１６）と、歯車（１０）として形成されかつ前記キャリッジ（１６）に回転可能に支持された前記運動伝達エレメント（８）とを有している、請求項１から７までのいずれか１項記載のエジェクション装置。
【請求項９】
前記戻しエレメント（１４）は、前記保持体（３）に形成されていてかつ２つのリミットストッパ（Ｅ１，Ｅ２）を有する案内軌道（９）において、制限されて移動可能に支持されている、請求項１から８までのいずれか１項記載のエジェクション装置。
【請求項１０】
前記開放方向（ＯＲ）における前記可動家具部分（２）の引張り時に、前記エジェクション蓄力器（５）は前記テンショニング装置（６）によって、好ましくは前記押出し移動行程（Ａ）に接続する緊張移動行程（Ｓ）に沿った引張り時に緊張可能である、請求項１から９までのいずれか１項記載のエジェクション装置。
【請求項１１】
前記エジェクションエレメント（４）をロック位置（ＶＳ）においてロックするロック装置（１７）が設けられており、該ロック装置（１７）は、前記閉鎖位置（ＳＳ）の後ろに位置している超過押圧位置（ＵＳ）への前記可動家具部分（２）の超過押圧によって、ロック解除可能である、請求項１から１０までのいずれか１項記載のエジェクション装置。
【請求項１２】
前記ロック装置（１７）は、前記保持体（３）に形成された、好ましくは心臓形の摺動軌道（１８）、前記エジェクションエレメント（４）に可動に、好ましくは回転可能に支持された制御レバー（１９）、および前記摺動軌道（１８）に係合しかつ前記制御レバー（１９）に配置されている制御ピン（２０）を有している、請求項１１記載のエジェクション装置。
【請求項１３】
家具本体（２２）と、可動家具部分（２）と、該可動家具部分（２）のための、請求項１から１２までのいずれか１項記載のエジェクション装置（１）とを備えた家具（２１）。
【請求項１４】
前記可動家具部分（２）は、家具扉として形成されており、該家具扉は、２つのヒンジ（２３）を介して前記家具本体（２２）に旋回可能に支持されており、かつ前記エジェクション装置（１）は、前記ヒンジ（２３）から間隔をおいて位置する箇所に配置されている、請求項１３記載の家具。
【請求項１５】
前記エジェクション装置（１）は、前記家具本体（２２）の、前記ヒンジ（２３）とは反対側に位置する領域に配置されている、請求項１４記載の家具。
【発明の詳細な説明】
【技術分野】
【０００１】
本発明は、可動家具部分のためのエジェクション装置であって、特にハウジングとして形成された保持体と、可動家具部分を閉鎖位置から押出し移動行程に沿って開放位置に押し出すエジェクションエレメントと、該エジェクションエレメントに可動家具部分の開放方向において力を加える、一方では保持体にかつ他方ではエジェクションエレメントに係合するエジェクション蓄力器と、該エジェクション蓄力器を緊張させるテンショニング装置と、を備えており、このときテンショニング装置は、可動家具部分に連結可能なテンショニングエレメントと、該テンショニングエレメントとエジェクションエレメントとの間における、特に回転可能な運動伝達エレメントとを有しており、このときエジェクション蓄力器の緊張時に、テンショニングエレメントとエジェクションエレメントとは、運動伝達エレメントによって連結されて互いに逆向きの方向に可動である、エジェクション装置に関する。本発明はさらに、家具本体、可動家具部分および可動家具部分のためのこのようなエジェクション装置を備えた家具に関する。
【０００２】
家具金物工業においては、例えば引出し、家具扉または家具フラップのような可動家具部分のためのエジェクション装置が、既に何年も前から公知である。このようなエジェクション装置は、しばしばタッチラッチ機構またはチップオン機構とも呼ばれる。
【０００３】
このようなエジェクション装置の一例は、出願人固有の国際公開第２０１３／１３４７９８号（WO 2013/134798 A1）に基づいて公知である。特に、この刊行物において最後に挙げた実施形態には、エジェクション蓄力器を緊張させるテンショニング装置が設けられており、このときテンショニングエレメントは、開放時に磁石を介して可動家具部分によって一緒に引っ張られる。開放方向におけるテンショニングエレメントのこの運動は、歯車として形成された運動伝達エレメントを介して、逆向きの方向へのエジェクションエレメントの運動に変換される。これによって可動家具部分の引張り時に、テンショニング装置を介して、エジェクション蓄力器はチャージされる。回転可能な運動伝達エレメントは、このエジェクション装置では、常に同じ位置に留まっているので、これによって、エジェクション蓄力器をチャージするためには、テンショニングエレメントの比較的大きな移動行程を進むことが必要である。
【０００４】
本発明の課題は、従来技術に代わる、もしくは従来技術に対して改善されたエジェクション装置を提供することにある。
【０００５】
この課題は、請求項１に記載の特徴を備えたエジェクション装置によって解決される。したがって本発明によれば、エジェクションエレメント、運動伝達エレメントおよびテンショニングエレメントは、押出し移動行程の少なくとも第１の部分にわたって一緒に、保持体に対して相対的に可動であるようになっている。本発明のように構成されていると、緊張移動中に実施される移動行程の既に一部を、これら３つの部分によって一緒に進めることができる。そしてこれら３つの部分の間における連結解除も行う必要がない。さらにまた、従来技術におけるように、２つのエレメント、つまりエジェクションエレメントおよびテンショニングエレメントを、エジェクション装置の保持体もしくはハウジングから突出させる必要もない。
【０００６】
本発明の好適な実施形態は、全般的に従属請求項に記載されている。例えば基本的に、運動伝達エレメント、テンショニングエレメントおよびエジェクションエレメントを、比較的短い距離だけ、もしくはエジェクションエレメントの押出し移動行程の一部にわたってだけ、一緒に移動させることが可能である。しかしながら好ましくは、エジェクションエレメント、運動伝達エレメントおよびテンショニングエレメントは、押出し移動行程全体にわたって、一緒に保持体に対して相対的に可動である。
【０００７】
一緒に行われる移動の簡単な可能性のためには、好ましくは、エジェクションエレメント、運動伝達エレメントおよびテンショニングエレメントは一緒に、保持体に形成されていて２つのリミットストッパを有する案内軌道に沿って、好ましくは直線的に、移動可能であるようになっている。エジェクション蓄力器の緊張を可能な限り正確に制御するために、好ましくは、エジェクション蓄力器の緊張時に、運動伝達エレメントは案内軌道の一方のリミットストッパに接触しているようになっている。
【０００８】
基本的には、運動伝達エレメントは、例えばレバー機構としてまたは他の形態で形成されていてよい。比較的単純でかつ確実な構成のためには、好ましくは、運動伝達エレメントは、歯車として形成されているようになっている。そのために相応しい追加的に好適な実施形態では、テンショニングエレメントおよびエジェクションエレメントは、それぞれ１つのラックを有している。したがって特に好ましくは、エジェクション蓄力器の緊張時に、テンショニングエレメントのラックおよびエジェクションエレメントのラックは、歯車として形成された運動伝達エレメントに噛み合っており、かつ運動伝達エレメントによって連結されて、互いに逆向きの方向において、好ましくは１：１の変速比で、可動であるようになっている。このように構成されていると、エジェクション蓄力器への緊張移動の確実な伝達が保証される。
【０００９】
エジェクション蓄力器の緊張後に、テンショニングエレメントが、可動家具部分が再度閉鎖するまで家具本体から突出しないことを保証するために、好ましくは、テンショニングエレメントを戻し位置に移動させる戻し装置が設けられており、該戻し装置は、テンショニングエレメントに連結可能な戻しエレメントと、該戻しエレメントに力を加える戻し蓄力器とを有している。この戻し装置は、原則的には、エジェクション装置の残りの部分とは別個に形成されていてよい。可能な限り僅かな数のコンポーネントしか必要でないようにするために、しかしながら好ましくは、戻しエレメントは、運動伝達エレメントによって一緒に形成されているようになっている。したがってこの運動伝達エレメントは、ダブル機能を、つまりエジェクション蓄力器の緊張時における機能と、テンショニングエレメントの戻し時における機能とを果たす。そのために特に好ましくは、戻しエレメントは、キャリッジと、歯車として形成されかつキャリッジに回転可能に支持された運動伝達エレメントとを有しているようになっている。このコンパクトな構造形式では、テンショニング装置におけると同じ形式で、戻しエレメントは、保持体に形成されていてかつ２つのリミットストッパを有する案内軌道において、制限されて移動可能に支持されている。
【００１０】
エジェクション装置の原則的な機能のために、可動家具部分の閉鎖時にテンショニング装置を介してエジェクション蓄力器が緊張させられることは、排除されていないことが望ましい。しかしながらいずれにせよ押出し後に多くの場合使用者によって実施されるアクティブな追加的な開放移動を利用するために、好ましくは、開放方向における可動家具部分の引張り時に、エジェクション蓄力器はテンショニング装置によって、好ましくは押出し移動行程に接続する緊張移動行程に沿って緊張可能であるようになっている。
【００１１】
エジェクション装置の不所望な作動を回避するために、好ましくは、エジェクションエレメントをロック位置においてロックするロック装置が設けられており、このときロック装置は、閉鎖位置の後ろに位置している超過押圧位置への可動家具部分の超過押圧によって、ロック解除可能である。このときロックは、例えばボールペン原理に基づいて、摩擦面を介してまたは類似のバリエーションを介して行うことができる。好ましくは、ロック装置は、保持体に形成された、好ましくは心臓形の摺動軌道、エジェクションエレメントに可動に、好ましくは回転可能に支持された制御レバー、および摺動軌道に係合しかつ制御レバーに配置されている制御ピンを有しているようになっている。
【００１２】
本発明においてはさらに、家具本体と、可動家具部分と、該可動家具部分のための、本発明に係るエジェクション装置とを備えた家具に対する保護も求められる。このときエジェクション装置が、家具本体に配置されていてかつ家具本体から突出するか、またはエジェクション装置自体が可動家具部分に配置されていてかつ可動家具部分を開放方向にアクティブに押し出すかは、それ自体些細なことである。基本的な機能原理は、両方のバリエーションにおいて同じままである。好ましくは、このようなエジェクション装置はまた、好ましくは緩衝作用を有する引込み装置と組み合わせられてよい。このように構成されていると、可動家具部分に対する押圧による簡単な押出しが可能なだけでなく、可動家具部分は、閉鎖方向においても閉鎖移動行程の最後の数センチメートルもしくは最後の数ミリメールにおいてアクティブに引き込まれる。このような引込み装置は、家具扉のヒンジに組み込まれていてよい。エジェクション装置および引込み装置は、必ずしも必要ではないが、１つの構成ユニット内に組み込まれていてよい。
【００１３】
次に、本発明のさらなる詳細および利点を、図面を参照しながら図面に示した実施形態について詳説する。
【図面の簡単な説明】
【００１４】
【図１ａ】家具扉およびエジェクション装置を備えた家具を示す斜視図である。
【図１ｂ】３つの引出しおよび各１つのエジェクション装置を備えた家具を示す斜視図である。
【図２】エジェクション装置を示す分解図である。
【図３】組み立てられた状態におけるエジェクション装置を示す斜視図である。
【図４】押出し時、緊張時および戻し時におけるエジェクション装置の運動経過を示す平面図である。
【図５】押出し時、緊張時および戻し時におけるエジェクション装置の運動経過を示す平面図である。
【図６】押出し時、緊張時および戻し時におけるエジェクション装置の運動経過を示す平面図である。
【図７】押出し時、緊張時および戻し時におけるエジェクション装置の運動経過を示す平面図である。
【図８】押出し時、緊張時および戻し時におけるエジェクション装置の運動経過を示す平面図である。
【図９】押出し時、緊張時および戻し時におけるエジェクション装置の運動経過を示す平面図である。
【図１０】押出し時、緊張時および戻し時におけるエジェクション装置の運動経過を示す平面図である。
【図１１】押出し時、緊張時および戻し時におけるエジェクション装置の運動経過を示す平面図である。
【図１２】押出し時、緊張時および戻し時におけるエジェクション装置の運動経過を示す平面図である。
【図１３】エジェクション装置の運動経過を一覧として１つの頁に示した図である。
【００１５】
図１ａには、家具本体２２と、家具扉として形成された可動家具部分２とを備えた家具２１が示されている。この可動家具部分２は、２つのヒンジ２３を介して家具本体２２に旋回可能に支持されている。これらのヒンジ２３のうちの１つには、可動家具部分２のための引込み装置（図示せず）が組み込まれていてよい。家具本体２２には、エジェクション装置１がヒンジから離れて配置されている。この場合図面から分かるように、エジェクション装置１は、可動家具部分２に向けられた端部に連結部材２５を有している。この連結部材２５は、可動家具部分に配置された連結対応部材２４と連結可能である。この図１ａにおいて、可動家具部分２は開放位置ＯＳにある。
【００１６】
図１ｂには、家具本体２２と、引出しとして形成された３つの可動家具部分２とを備えた家具２１が示されている。引出しは、引出し案内を介して家具本体２２に摺動可能に支持されている。家具本体２２には、引出しを開放位置ＯＳ（最上位の引出し参照）に押し出すエジェクション装置１が配置されている。しかしながらまたエジェクション装置１は、引出し自体にまたは引出し案内のレールに配置されていてもよい。
【００１７】
図２には、エジェクション装置１が分解図で示されている。ベース部分としてこのエジェクション装置１は、保持体３を有している。この保持体３は、図示されていないカバーと一緒に、エジェクション装置１の全コンポーネントのためのハウジングを形成している。保持体３には、エジェクションエレメント４用の摺動軌道１８が形成されている。エジェクションエレメント４には、制御レバー回転軸受３１を介して、制御レバー１９が回転可能に支持されている。またこの制御レバー１９には、制御ピン２０が配置されており、この制御ピン２０は、心臓形の摺動軌道１８に係合している。追加的に、保持体３にはテンショニングエレメント７のための案内軌道３４が形成されている。このテンショニングエレメント７の前端部には、連結部材２５が配置されており、この連結部材２５は、連結対応部材２４と一緒に連結装置２６を形成している。追加的に連結および連結解除のために、連結蓄力器４０を備えた連結兼連結解除エレメント２７が設けられている。ほぼＶ字形に配置された引張りばねとして形成されたこの連結蓄力器４０は、図２には示されていないが、図４以降においては見える。保持体３内には、連結兼連結解除エレメント２７のための案内軌道２８が形成されている。さらに、連結兼連結解除エレメント２７のためのロック体（Riegel）６１が設けられており、このロック体６１は、軸受６２に回転可能に支持されていて、連結兼連結解除エレメント２７に形成された突出部６４のための収容凹部６３を有している。ロック体ストッパ６５が、ピン６６を介して保持体３における凹部６７内に保持されている。
【００１８】
エジェクション蓄力器５は、ばねベース２９を介して一方ではエジェクションエレメント４に結合されており、かつ他方では、保持体３に形成されたばねベース３０に係合している。ばねベース２９は、ピン６８を介してエジェクションエレメント４に枢着結合されている。さらにばねベース２９内には別の制御ピン６９が保持されており、この制御ピン６９は、摺動軌道１８の領域７０におけるばねベース２９の所望の案内を可能にする。エジェクションエレメント４には、またラック１２が形成されている。テンショニングエレメント７は、運動伝達エレメント８と可動に連結されている。特に、この運動伝達エレメント８は歯車１０として形成されており、この歯車１０は、テンショニングエレメント７のラック１１およびエジェクションエレメント４のラック１２と噛み合っている。運動伝達エレメント８は、一方では、保持体３に形成された案内軌道９に移動可能に支持されており、かつ他方ではキャリッジ１６内に回転可能に支持されている。案内軌道９は、２つのリミットストッパＥ１，Ｅ２を有している。キャリッジ１６はまた、テンショニングエレメント７のための戻し装置１３の一部である。特に、このキャリッジ１６には戻し蓄力器１５が係合している。さらにこの戻し蓄力器１５は、他方の端部において、保持体３に形成されたばねベース３２に固定されている。
【００１９】
図３には、エジェクション装置１が組み立てられた状態で示されている。このとき連結部材２５は、連結対応部材２４とルーズな結合状態にある。さらに図面から分かるように、テンショニングエレメント７は運動伝達エレメント８と一緒に、テンショニング装置６を形成している。追加的にこの運動伝達エレメント８は、同時にキャリッジ１６と一緒に戻しエレメント１４を形成している。この戻しエレメント１４は、戻し蓄力器１５と一緒にさらに戻し装置１３を形成している。この図３において、この場合ばねとして特に引張りばねとして形成されている戻し蓄力器１５は、弛緩された位置にある。これに対して、同様にばねとして特に引張りばねとして形成されているエジェクション蓄力器５は、緊張させられた位置にある。ロック装置１７の制御ピン２０は、心臓形の摺動軌道１８の係止凹部内にあり、これによって全エジェクション装置１は、ロック位置ＶＳにある。
【００２０】
図４〜図１２には、それぞれ左側に、異なった位置におけるエジェクション装置１が平面図で示されている。右側には、それぞれ同じ平面図が示されているが、このときしかしながらまた、本来は見えない、それぞれその下に位置しているコンポーネントも破線で示されている。
【００２１】
図４においてエジェクション装置１は、図３における同じ位置、つまりロック位置ＶＳにある。追加的に、ここには示されていない可動家具部分２は閉鎖位置ＳＳにある。この閉鎖位置ＳＳは、可動家具部分２に固定されている連結対応部材２４によって再現されている。このロック位置ＶＳにおいて、テンショニングエレメント７は、緩衝エレメント３３を介してエジェクションエレメント４に接触している。制御レバー１９に配置された制御ピン２０は、ロック装置１７の心臓形の摺動軌道１８の係止凹部内に位置している。エジェクション蓄力器５は緊張しており、これに対して戻し蓄力器１５は弛緩している。ロック体６１は、その収容凹部６３を介して突出部６４を取り囲んでおり、これによって連結兼連結解除エレメント２７の先端４７は、連結部材２５のヘッド領域に引き戻された位置にある。この位置において、連結蓄力器４０は緊張している。連結蓄力器４０はその両端部でテンショニングエレメント７において保持されており、かつ中央領域において連結兼連結解除エレメント２７に接触している。連結装置２６は連結解除位置ＥＫにあり、この連結解除位置ＥＫにおいて連結部材２５と連結対応部材２４とは互いにルーズに結合されている。
【００２２】
図４に示されたこの閉鎖位置ＳＳを起点として、閉鎖方向ＳＲにおいて可動家具部分２が押圧されると、エジェクション装置１は、図５に示された超過押圧位置ＵＳに達する。連結対応部材２４および連結部材２５を介して、この超過押圧運動によってテンショニングエレメント７は閉鎖方向ＳＲにおいて移動させられる。緩衝エレメント３３を介してエジェクションエレメント４もまた、エジェクション蓄力器５の力に抗して、閉鎖方向ＳＲにおいて移動させられ、これによって制御レバー１９および特にその制御ピン２０は、心臓形の摺動軌道１８の係止凹部から、相応の変位傾斜部（Abweichschraege）を介して摺動軌道１８のエジェクション部分内に達する。これによってエジェクションエレメント４は、もはやロック装置１７を介して保持体３にロックされておらず、ロック解除位置ＥＳにある。右側においてまた認識できるように、この超過押圧運動によって運動伝達エレメント８もまた、案内軌道９のリミットストッパＥ２にまで移動させられている。この超過押圧運動によって、ロック体６１もまたロック体ストッパ６５に対して相対的に移動させられ、このときロック体６１の突出部７１は、ロック体ストッパ６５の、横方向の押圧方向において可撓性の端部７２のそばを通過移動する。
【００２３】
使用者が、図５に示された位置を起点として、可動家具部分２を放すや否や、エジェクション蓄力器５は弛緩することができる。これによってエジェクション装置１はまず、図６に示された位置に達し、この位置は、可動家具部分２の僅かな開放位置ＯＳに相当する。図面から認識できるように、制御ピン２０は、そのロック解除位置ＥＳにおいて既に幾分開放方向ＯＲにおいて、摺動軌道１８のエジェクション部分を通って移動している。エジェクション蓄力器５はエジェクションエレメント４を引っ張るので、このエジェクションエレメント４もまた開放方向ＯＲにおいて保持体３に対して相対的に移動する。さらにエジェクションエレメント４は緩衝エレメント３３を介してテンショニングエレメント７に接触しているので、このテンショニングエレメント７もまた開放方向ＯＲにおいて移動する。さらに運動伝達エレメント８は案内軌道９内に移動可能に支持されているので、エジェクションエレメント４、運動伝達エレメント８およびテンショニングエレメント７は、押出し移動行程Ａのこの第１の部分にわたって一緒に保持体３に対して相対的に移動させられる。開放方向ＯＲにおけるテンショニングエレメント７のこの移動によって、テンショニングエレメント７に配置されたロック体６１もまた連行され、これによって突出部７１は、ロック体ストッパ６５の、端面側におけるこの押圧方向において剛性の端部７２に接触している。これによって軸受６２を中心にしたロック体６１の、時計回り方向における回転運動が開始される。突出部６４はこれによって、もはやロック体６１の収容凹部６３内に保持されていない。これによって図６に示されているように、連結蓄力器４０は既に弛緩しており、かつ連結兼連結解除エレメント２７はその先端４７と一緒に連結部材２５のヘッド領域内に移動させられている。これによってヘッド領域の、互いに間隔をおいて位置する突出部は、もはや互いに向かって屈曲することができず、連結装置２６の連結位置Ｋが、連結部材２５と連結対応部材２４との間における形状結合式の保持部の形で得られる。
【００２４】
図７においてエジェクション装置１は、既に押出し移動行程Ａを進んでいる。エジェクション蓄力器５は弛緩している。歯車１０として形成された運動伝達エレメント８は、案内軌道９のリミットストッパＥ１に接触している。エジェクションエレメント４のこのエジェクション移動および運動伝達エレメント８の一緒の移動によって、戻し蓄力器１５もまた緊張させられている。
【００２５】
図７に示された開放位置ＯＳを起点として運動伝達エレメント８は、案内軌道９のリミットストッパＥ１における運動伝達エレメント８の当接に基づいて、もはや開放方向ＯＲにおいてテンショニングエレメント７と一緒に移動することができないので、図８に示されているように開放方向ＯＲにおける可動家具部分２のさらなる引張りによって、テンショニングエレメント７と運動伝達エレメント８との間における相対運動が生じる。具体的に言えば、テンショニングエレメント７はさらに方向Ｒ１において移動し、これによって運動伝達エレメント８は、反時計回り方向に回転する。運動伝達エレメント８のこの回転によって、エジェクションエレメント４は、ラック１２を介して逆向きの方向Ｒ２に移動させられる。これによってエジェクション蓄力器５もまた再び緊張させられる。これによりテンショニングエレメント７は運動伝達エレメント８と一緒に、エジェクション蓄力器５のためのテンショニング装置６を形成する。このエジェクション蓄力器５は、その長さが分かるようにするために、図８においておよび図９、図１０および図１３（部分的に）においても、単に直線として略示されている。図８において、同時に連結兼連結解除エレメント２７のためのストッパ４５を形成する突出部６４は、保持体３に接触している。これによって予め設定された開放移動行程ＶＯが得られる。そしてさらに開放方向ＯＲにおいて、可動家具部分２が引っ張られても、連結兼連結解除エレメント２７は、連結部材２５を形成するテンショニングエレメント７とは一緒に移動することができない。
【００２６】
図９に示されているように、テンショニングエレメント７によるテンショニング移動は継続されて、連結兼連結解除エレメント２７の先端４７が連結部材２５のヘッド領域から完全に引き戻されるようになっており、これによって連結装置２６は弛緩する（連結解除位置ＥＫ）ので、連結対応部材２４および可動家具部分２は、もはやエジェクション装置１とは連結されていない。突出部６４は再びロック体６１の収容凹部６３内に保持されている。連結蓄力器４０は再び緊張負荷されている。このテンショニング移動によって、制御レバー１９もまた再び摺動軌道１８において、係止凹部の後ろに位置する位置に移動している。図９においては、エジェクション装置１によってまた、押出し移動行程Ａと後続のテンショニング移動行程Ｓとから成る全開放移動行程Ｏが進められている。図９によれば、いまや可動家具部分２は自由に移動することができる。
【００２７】
いまや可動家具部分２からエジェクション装置１へはもはや力が作用しないので（すなわちテンショニングエレメント７は、ひいてはエジェクションエレメント４はもはやアクティブに引っ張られないので）、エジェクション蓄力器５は再び短くかつ幾分弛緩することができ、この状態は、図１０に示されているように制御ピン２０が心臓形の摺動軌道１８の係止凹部内においてロックするまで続く。そしてこのロックによって、再びロック装置１７もしくはエジェクションエレメント４のロック位置ＶＳが得られる。
【００２８】
その後で図１１に示されているように、戻し蓄力器１５は弛緩が始まる。この戻し蓄力器１５は戻しエレメント１４のキャリッジ１６を引っ張り、しかしながらエジェクションエレメント４はロック装置１７のロックに基づいて不動であるので、歯車１０として形成された運動伝達エレメント８は、一方では案内軌道９において方向Ｒ２において移動し始め、かつ他方ではキャリッジ１６において時計回り方向に回転し始める。運動伝達エレメント８のこの回転によって、テンショニングエレメント７もまた、この場合運動伝達エレメント８の２倍の速度で方向Ｒ２において移動させられる。可動家具部分２は、いまなお開放位置ＯＳにあり、これに対してエジェクション装置１は既にロック装置１７のロック位置ＶＳにある。
【００２９】
図１２において戻し蓄力器１５は完全に弛緩しており、これによってテンショニングエレメント７は再びエジェクションエレメント４に接触している。このときエジェクションエレメント４におけるテンショニングエレメント７の当接は、緩衝エレメント３３によって緩衝される。これによって戻し装置１３により、テンショニングエレメント７は戻し位置Ｒに移動させられている。図４とは異なり、図１２において可動家具部分２は、なお開放位置ＯＳにある。この開放位置ＯＳから可動家具部分２が手によって再び閉鎖されると、最後の閉鎖部分において連結対応部材２４は再び連結部材２５とルーズに結合し、これによって再び図４に示された位置が得られる。
【００３０】
図１３には、図４〜図１２に示された個々の位置が一覧としてもう一度順番に示されている。図１３の第３図と第４図との比較から分かるように、本発明によればエジェクションエレメント４、運動伝達エレメント８およびテンショニングエレメント７は、押出し移動行程Ａにわたって一緒に、保持体３に対して相対的に移動可能である。
【図１ａ】
0006556267.tif 000002
【図１ｂ】
0006556267.tif 000003
【図２】
0006556267.tif 000004
【図３】
0006556267.tif 000005
【図４】
0006556267.tif 000006
【図５】
0006556267.tif 000007
【図６】
0006556267.tif 000008
【図７】
0006556267.tif 000009
【図８】
0006556267.tif 000010
【図９】
0006556267.tif 000011
【図１０】
0006556267.tif 000012
【図１１】
0006556267.tif 000013
【図１２】
0006556267.tif 000014
【図１３】
0006556267.tif 000015